(57)【要約】【課題】多数のモードから所望のモードを選択する場合、操作が簡単で、且つ選択内容が解り易く、選択するモードがどんなモードであるかの説明を表示し、初めて使用する人でも解り易い表示になるように表示選択が可能な情報入力表示装置を提供することである。【解決手段】装置本体の表示部と同じ面に操作部を設け、この面と平行な面内に於いて回動させるようにスクロール操作を行う操作入力と、上記面と垂直な方向への押圧操作による操作入力を行う。スクロール表示部を含む表示部４４は、スクロール操作の方向に応じてスクロール表示部４５を直線方向に移動させて表示すると共に、上記選択されている項目の全スクロール範囲の位置に係る表示がインジケータ表示部４６で同時に表示する。そして、スクロールして選択可能に表示されているときに、上記スクロール操作により選択したモードを上記押圧操作に応じて確定する。【選択図】      図７
2007018519.tif 000002
【特許請求の範囲】
【請求項１】
装置本体に設けられた表示部と、
上記表示部と同じ面に設けられ、この面と平行な面内に於いて回動させるようにスクロール操作を行う操作入力と、上記面と垂直な方向への押圧操作による操作入力を可能になされた、一体的に構成された操作部と、
上記スクロール操作に応じてスクロールされる選択項目の内容が選択されている状態に於いて、スクロール操作の方向に応じて直線方向に移動させて表示されると共に、上記選択されている項目の全スクロール範囲に於ける位置に係る表示を同時に表示するようになされた表示制御手段と、
複数のモードから一のモードを上記スクロール操作によりスクロールして選択可能に表示されているときに、上記スクロール操作により選択されたモードを上記押圧操作に応じて確定するように制御する制御手段と、
を具備することを特徴とする情報入力表示装置。
【請求項２】
上記複数のモードはカメラの露出モードに関する情報であることを特徴とする請求項１に記載の情報入力表示装置。
【請求項３】
上記表示制御手段は、更に、選択項目の表示として絵表示を含む表示、選択項目の説明を表示するように制御することを特徴とする請求項１に記載の情報入力表示装置。
【発明の詳細な説明】
【技術分野】
【０００１】
本発明は情報入力表示装置に関し、より詳細にはカメラへの撮影情報入力を行うための操作部材に関するものである。
【背景技術】
【０００２】
従来より、カメラの表示部に表示されている複数の撮影モードから１つを選択する選択用シフトレバーと、この選択されたモードを確定し、カメラに入力する選択スイッチとから成るカメラの情報入力手段が知られている。特に、最近では、撮影可能な撮影モードの種類を増やして使用者の多様なニーズに応えたり、撮影モードを絵表示にすることにより、初めて使用する人にも分かりやすくする等の工夫がなされている。
【０００３】
一方、カメラ自体は携帯機器であるという性質上、小型・軽量化の要望も強い。
【０００４】
しかしながら、選択可能な撮影モードの種類を増やしてしかもそれを絵表示させようとすると、いきおい表示スペースが広くなり、またスイッチ等の操作部材が増加して、上述した小型・軽量化の要望に応えることができなくなってしまう。
【０００５】
また、下記特許文献１には、販売する商品を表示する表示器と、回動操作と押込み操作が可能な単一の商品選択ダイヤルとを有し、商品選択ダイヤルの回動操作により表示器の表示内容を変更して商品を選択し、上記商品選択ダイヤルの押込み操作により、選択された商品の販売動作が行われる自動販売機が開示されている。この自動販売機によれば、複数設けていた商品選択釦を廃止できるので、取付けスペースの低減と使用部品数の削減とが実現される。
【０００６】
更に、下記特許文献２には、ダイヤルを回すことで選択と調整機能を行い、該ダイヤルを押して決定機能を行うダブルプッシュ式ローラーダイヤルと、カメラ一体型ビデオカメラのビューファインダにマニュアル調整項目とメニューの選択項目が表示される技術が開示されている。
【特許文献１】特開平８−１０１９５９号公報
【特許文献２】特開平８−４３８９９号公報
【発明の開示】
【発明が解決しようとする課題】
【０００７】
しかしながら、上述した特許文献１に記載の技術に於いては、商品名等の単純な表示であれば小さい表示器を設けるだけでよいが、その商品に関連する情報をも同時に表示させるとすれば、広い表示スペースが必要となってしまう。
【０００８】
また、上記特許文献２に記載の技術では、ビューファインダの所定位置に予め表示される項目が全て割付けられているもので、詳細な撮影情報を表示するためには広い表示スペースを必要とするものであった。
【０００９】
本発明は上記課題に鑑みてなされたものであり、多数のモードから所望のモードを選択する場合に操作が簡単でしかも選択内容が解り易く、選択するモードがどんなモードであるかの説明を表示し、初めて使用する人でも解り易い表示になるように表示の選択が可能な情報入力表示装置を提供することを目的とする。
【課題を解決するための手段】
【００１０】
すなわち請求項１に記載の発明は、装置本体に設けられた表示部と、上記表示部と同じ面に設けられ、この面と平行な面内に於いて回動させるようにスクロール操作を行う操作入力と、上記面と垂直な方向への押圧操作による操作入力を可能になされた、一体的に構成された操作部と、上記スクロール操作に応じてスクロールされる選択項目の内容が選択されている状態に於いて、スクロール操作の方向に応じて直線方向に移動させて表示されると共に、上記選択されている項目の全スクロール範囲に於ける位置に係る表示を同時に表示するようになされた表示制御手段と、複数のモードから一のモードを上記スクロール操作によりスクロールして選択可能に表示されているときに、上記スクロール操作により選択されたモードを上記押圧操作に応じて確定するように制御する制御手段と、を具備することを特徴とする。
【００１１】
請求項２に記載の発明は、請求項１に記載の発明に於いて、上記複数のモードはカメラの露出モードに関する情報であることを特徴とする。
【００１２】
請求項３に記載の発明は、請求項１に記載の発明に於いて、上記表示制御手段は、更に、選択項目の表示として絵表示を含む表示、選択項目の説明を表示するように制御することを特徴とする。
【発明の効果】
【００１３】
本発明によれば、多数のモードから所望のモードを選択する場合に操作が簡単でしかも選択内容が解り易く、選択するモードがどんなモードであるかの説明を表示し、初めて使用する人でも解り易い表示になるように表示の選択が可能な情報入力表示装置を提供することができる。
【発明を実施するための最良の形態】
【００１４】
以下、図面を参照して本発明の実施形態を説明する。
【００１５】
（第１の実施形態）
図１は、本発明の情報入力表示装置に係るカメラの電気系の構成を示すブロック図である。
【００１６】
図１に於いて、メインＣＰＵ１は、その内部に設けられたＲＯＭ（リードオンリメモリ）に記憶されたプログラムに基いて、逐次シーケンシャル制御を実行し、これによって周辺の集積回路等の動作を司る。そして、このメインＣＰＵ１には、ＬＣＤ２、ＡＦＩＣ３、データバック４、ストロボ５、ＩＳＯ入力装置６、ＳＷ（スイッチ）入力装置７、ＥＥＰＲＯＭ８、受光回路９、測光回路１０及びモータドライバ１１が接続されている。
【００１７】
このモードドライバ１１はカメラに内蔵された各種モータをメインＣＰＵ１からの信号に基いて駆動するための集積回路である。上記モータドライバ１１には、ＬＤＭ１３、ＺＭ１４、ＷＳＭ１５、ＡＶＭ１６を介して、フォーカス装置１７、ズーム装置１８、巻上げ装置１９及びシャッタ装置２０、絞り装置２１が接続されている。
【００１８】
上記ＬＤＭ１３は撮影レンズ内のフォーカス装置１７を駆動するモータ、ＺＭ１４は撮影レンズの焦点距離を変更するズーム装置１８を駆動するモータ、ＷＳＭ１５はフィルムの巻上げを行う巻上げ装置１９及びシャッタ装置２０内のフォーカルプレーンシャッタを走行させるためのバネチャージと、撮影光線を図示されないファインダに導くかフィルム面に導くかを選択的に動作する図示されないミラー機構とを駆動するモータで、ＡＶＭ１６は撮影光線を制限するための絞り装置２１を駆動するモータである。
【００１９】
上記ＬＣＤ２は、カメラの外部に設けられた識別表示手段であり、メインＣＰＵ１の制御信号に基いて、カメラのモード表示やフィルム駒数の表示等を行う。
【００２０】
また、ＡＦＩＣ３は、電荷蓄積型のセンサ列を有している。このセンサ列上には、図示されない撮影レンズを通して入射してくる被写体像が２つの像に分割された後、その分割された像が結像される。そして、上記２像の光強度が量子化された値が、ＡＦＩＣ３で形成されてメインＣＰＵ１に転送される。メインＣＰＵ１では、公知の技術である位相差検出方法によって、フォーカス装置１７を駆動して撮影レンズのピント調節を行う。
【００２１】
上記データバック４は、メインＣＰＵ１の信号に基いて、フィルムに日付けの写し込みを行うものである。また、ストロボ５は、被写体の輝度が低い時や、被写体が逆光状態にある時に、露出時に於いて被写体にストロボ光を照射するものである。
【００２２】
ＩＳＯ入力装置６は、フィルムケースまたはフィルムカートリッジから、フィルム感度情報を読取る装置である。更に、ＳＷ入力装置７は、図示されないキースイッチと、カメラ動作に応じて開閉するメカニカルスイッチの作動状態を検出するための装置である。上記キースイッチは、いわゆるカメラのレリーズ、ズームのアップダウン、カメラモードの設定等を行うスイッチであり、後述するダイアル操作スイッチも含まれる。
【００２３】
上記ＥＥＰＲＯＭ８は、カメラ毎にばらつく測光値やＡＦデータを補正するための補正データを記憶するための不揮発性メモリである。
【００２４】
上記受光回路９は、遠隔操作装置１２から発信された遠隔操作信号を受信して波形整形後、メインＣＰＵ１へ転送する機能を有している。遠隔操作装置１２は、この遠隔操作装置１２上で操作者の設定したデータをカメラ本体に送信したり、カメラの露出開始タイミングを決定するために所定の送信コードを発信する。
【００２５】
また、測光回路１０は、図示されない撮影レンズを通して入射してきた被写体光の輝度を検出して、自動露出時の絞り値やシャッタスピード値を決定するための装置である。
【００２６】
次に、図２乃至図４を参照して、上記ＳＷ入力装置７の情報設定を行う操作ダイアルについて説明する。
【００２７】
図２は上記ＳＷ入力装置７の操作ダイアルを構成する回路図である。
【００２８】
操作ダイアルは、並列に接続された３つのスイッチＳＷ１、ＳＷ２及びＳＷ３と、これらスイッチＳＷ１、ＳＷ２及びＳＷ３にそれぞれ直列に接続された抵抗Ｒ１、Ｒ２及びＲ３により構成されている。そして、上記抵抗Ｒ１、Ｒ２及びＲ３でプルアップすることによって、スイッチがオンで“Ｌ”レベル信号が、スイッチがオフで“Ｈ”レベル信号が、それぞれ下記（１）〜（３）式で示される端子からＣＰＵ１に出力される。
【数１】
2007018519.tif 000003
【００２９】
【数２】
2007018519.tif 000004
【００３０】
【数３】
2007018519.tif 000005
【００３１】
尚、以下の説明に於いては、上記（１）〜（３）式で表される端子は、それぞれＳＷ１／Ｏ、ＳＷ２／Ｏ、ＳＷ３／Ｏと記すものとする。
【００３２】
上記スイッチＳＷ１とＳＷ２は、操作ダイアルを回動させると該ダイアルの所定回転角毎にパルスを発生するように、オン、オフが繰返される。これにより、上記パルスは２相の信号を発生し、ダイアルの回動方向を検知することができる。
【００３３】
図４（ａ）は、操作ダイアル上に形成されるスイッチＳＷ１、ＳＷ２の構成を示した図である。
【００３４】
操作ダイアル２３は、回転軸２４を中心として時計方向（Ｃ．Ｗ．方向）及び反時計方向（Ｃ．Ｃ．Ｗ．方向）に回転可能に構成されている。そして、操作ダイアル２３の一方の面上には、斜線部で示されるような導通パターン２５が形成されている。この導通パターン２５は、銅箔上に金メッキの薄膜が施されたものである。
【００３５】
また、操作ダイアル２３の導電パターン２５が形成された面上には、図示されない導線を介して図２の端子ＳＷ１／Ｏに接続された導電切片ＳＷ１Ｉと、同様に図示されない導線を介して図２の端子ＳＷ２／Ｏに接続された導電切片ＳＷ２Ｉと、図示されない導線を介して図２の接地ラインに接続された切片ＣＯＭとが、それぞれ配置されている。このように構成された操作ダイアル２３が、図示Ｃ．Ｗ．方向、またはＣ．Ｃ．Ｗ．方向に回転されると、上記各切片ＳＷ１／Ｏ、ＳＷ２／Ｏ、ＣＯＭと導通パターン２５によって、図３に示される信号が発生される。
【００３６】
尚、導通パターン２５及び各切片ＳＷ１／Ｏ、ＳＷ２／Ｏ、ＣＯＭを設ける以外にも、図３に示される信号が出力される他の方法でも良い。
【００３７】
図３は、上記操作ダイアル２３を回動させた時の端子ＳＷ１／Ｏ、ＳＷ２／Ｏから出力される信号の状態を示したタイムチャートであり、（ａ）はＣ．Ｗ．方向、（ｂ）はＣ．Ｃ．Ｗ．方向に回転させた場合を示したもので、時間の経過も図の矢印方向と一致している。
【００３８】
操作ダイアル２３がＣ．Ｗ．方向に回転された時は、図３（ａ）に示されるように、端子ＳＷ１／Ｏから立下がり信号が出力される。この時、端子ＳＷ２／Ｏは“Ｈ”レベル状態の信号となっている。
【００３９】
一方、操作ダイアル２３がＣ．Ｃ．Ｗ．方向に回転された時は、図３（ｂ）に示されるように、端子ＳＷ１／Ｏから立下がり信号が出力された時、端子ＳＷ２／Ｏは、“Ｌ”レベル状態の信号となっている。
【００４０】
上記の如く、端子ＳＷ１／Ｏの立下がり信号に同期して端子ＳＷ２／Ｏの信号レベルが検知されれば、操作ダイアル２３の回転方向を検出することが可能となる。
【００４１】
図４（ｂ）は、上記操作ダイアル２３とスイッチＳＷ３及び上記操作ダイアル２３の押圧力の伝達機構系を示した図である。
【００４２】
上記ダイアルが回転軸の垂直方向に押圧された時に上記ダイアルが押圧方向に移動してＳＷ３がオンするまでの伝達機構の構成を、断面図で示している。
【００４３】
操作ダイアル２３は、回転軸２４によって支持部材２６に支持されているもので、図示矢印Ａ方向（Ａ1 方向またはＡ2 方向）に移動可能に支持されている。これにより、操作ダイアル２３と支持部材２６とは、一体的に構成されている。
【００４４】
上記支持部材２６は、その端面２７が支持部材２８の端面２９と接触するようになっている。支持部材２８は、回転軸３０を回転中心として図示矢印Ｂ方向（Ｂ1 方向またはＢ2 方向）に回転可能に支持されると共に、図示されないばね力によって、常に図示矢印Ｂ1 方向に付勢されている。また、支持部材２８には、曲面を有する先端部３１が設けられている。
【００４５】
スイッチＳＷ３は硬質基板３２上に構成されるスイッチであり、この硬質基板３２の垂直方向に押圧力が加えられるとオンする。この場合、スイッチＳＷ３は、支持部材２８の先端部３１と接触可能に配設されている。
【００４６】
いま、カメラ操作者が、操作ダイアル２３を図示矢印Ａ2 方向に押圧すると、支持部材２６が図示矢印Ａ2 方向に移動されて端面２７が支持部材２８の端面２９と接触する。すると、支持部材２８が回転軸３０を中心に図示矢印Ｂ2 方向に回転されて、先端部３１によってスイッチＳＷ３が押圧される。
【００４７】
尚、支持部材２６及び２８の形状は、操作ダイアル２３が図示矢印Ａ2 方向に押圧されたときにスイッチＳＷ３がオンされれば、その形状は特定されない。
【００４８】
また、操作ダイアル２３が図示矢印Ａ2 方向に押圧されたときにスイッチＳＷ３がオンされるように構成すれば、特に支持部材２８は無くとも良いものである。例えば、支持部材２６の端面２７が直接スイッチＳＷ３を押圧するように構成しても良い。
【００４９】
図５は、本発明のカメラの撮影情報入力表示装置が適用されたカメラの外観を示した上面図である。
【００５０】
図５に於いて、カメラ本体３４の上面部には、レリーズ釦３５及びＬＣＤパネル３６（図１のＬＣＤ２に対応する）が設けられている。ここで、操作ダイアル２３は、カメラ操作者が右手の指のみで操作可能な位置に配置されており、Ｃ．Ｗ．及びＣ．Ｃ．Ｗ．方向に回転、または図示矢印Ｃ方向に押圧することができる。
【００５１】
この配置は、スペースを有効に利用できることと、カメラの小型化に合った配置と操作性が可能であるという利点がある。
【００５２】
図６は別の配置を示したもので、カメラの外観を示した背面図である。
【００５３】
図６に於いて、カメラ本体３７の上面部にレリーズ釦３８が設けられている。また、カメラ本体３７の背面には、図示矢印Ｄ方向に回動可能な操作ダイアル３９と、図１のＬＣＤ２に対応した表示部４０が配置されている。操作ダイアル３９は操作者が右手の指で回転操作可能で、且つ紙面に垂直の方向に押圧可能である。この構成は表示面を大きくとれることと、また、カメラの上面がすっきりできるという利点がある。
【００５４】
図７は、操作ダイアル２３または３９の操作に応動して変化するＬＣＤパネル３６または表示部４０の表示状態の例を示したものである。但し、ここでは表示部４２として表すものとする。
【００５５】
図７に於いて、表示部４２は、撮影情報を表示する非スクロール表示部４３と露出情報を表示するスクロール表示部を含む表示部４４とで構成される。非スクロール表示部４３は、選択された露出モードに対応して予め設定された各撮影モードをドット表示するものである。各モードの選択は、ドライブモード“ＤＲＶ”が単写、連写、フォーカスモード“ＡＦ”がシングルＡＦ、コンティニュアスＡＦ、フラッシュモード“ＦＬＳ”がオート、赤目軽減、フィルイン、オフの各モードで設定が可能となっている。
【００５６】
一方、表示部４４は、露出モード選択用のスクロール表示部４５、スクロール表示が全スクロール中のどの位置にあるかを表示するインジケータ表示部４６と、選択されたモードの説明を表示する表示部４７とから成っている。スクロール表示部４５は、その中央部分が選択する露出モードを表しており、その前後２個の表示までがドットマトリクス表示される。
【００５７】
図８（ａ）は、第１のダイアル機能を表した図である。ダイアル操作で操作方向に合った表示スクロールを行い、押圧操作で選択の確定とダイアル選択禁止とを切換えるようになっている。
【００５８】
また、図８（ｂ）は、第２のダイアル機能を表した図である。この例では、ダイアル操作で操作方向に合った表示スクロールを行い、押圧操作で選択内容を３個単位（絵表示で３個分）でスキップスクロール表示する。
【００５９】
次に、図９のフローチャートを参照して、カメラの露光処理の動作を説明する。
【００６０】
先ず、ステップＳ１に於いて、スイッチ入力が有ったかどうかが判断される。ここで、スイッチ入力が有った場合はステップＳ２に進んで、上述した露出に関するダイアル処理が行われてデータが選択される。次いで、ステップＳ３にて、
その結果の表示が行われた後、ステップＳ４でレリーズスイッチがオンされたかどうかが判断される。ここで、オンされていない時はステップＳ１に戻る。
【００６１】
上記ステップＳ４に於いて、レリーズスイッチがオンされている時は、ステップＳ５及びＳ６に進んで露光可能かどうかが判断される。そして、ステップＳ６に於いて、露光許可した場合はステップＳ７に進んで露光制御が行われた後、処理が終了する。一方、上記ステップＳ６で露光が許可されない場合は、ステップＳ８に進んで撮影不能表示がなされた後、処理が終了する。
【００６２】
図１０は、上述した露光処理動作のうちのダイアル処理の動作を説明するサブルーチンである。
【００６３】
先ず、ステップＳ１１で、現在設定されているモードデータが読込まれる。そして、ステップＳ１２に於いて、スイッチＳＷ１０の立下がりが発生したか否かが判断される。ここで、立下がりが発生している場合はステップＳ１３に進み、フラグ“ＬＯＣＫ”が“１”か否かが判断される。
【００６４】
該フラグ“ＬＯＣＫ”が“１”のときはロック状態になっている。よって、ダイアル入力は受付けないので、ダイアル処理を終了して後述するステップＳ１８へ進む。上記ステップＳ１３にて、フラグ“ＬＯＣＫ”が“１”以外の場合は、続いてステップＳ１４に於いて、スイッチＳＷ２０が“Ｈ（ハイ）”レベルか否かが判断される。ここで、“Ｈ”レベルの場合はステップＳ１５に進んでダウン方向にスクロール処理が行われる。一方、“Ｌ（ロー）”レベルの場合はステップＳ１６に進んでアップ方向にスクロール処理が行われる。その後、ステップＳ１７にて露出データの選択処理が行われる。
【００６５】
上記ステップＳ１５及びＳ１６のスクロール処理の後、またはステップＳ１２のスイッチＳＷ１０の立下がりが検出されなかった場合は、ステップＳ１８に於いてスイッチＳＷ３０の立下がりが調べられる。ここで、立下がりが検出された場合はプッシュ動作が行われた場合であるので、ステップＳ１９に進んでＬＯＣＫフラグが“１”か否かが判断される。
【００６６】
このステップＳ１９に於いて、フラグが“０”の場合はステップＳ２０に進んで、選択されているデータの確定が行われる。その後、ステップＳ２１にてフラグが“１”にセットされて露出モード選択禁止状態にされる。一方、上記ステップＳ１９に於いてフラグが“１”の場合は、ステップＳ２２に進んでフラグが“０”にキャンセルされて露出モード選択許可状態にされる。
【００６７】
そして、上記ステップＳ２１及びＳ２２の後、本ダイアル処理が終了して元のルーチンに戻る。
【００６８】
（第２の実施形態）
次に、本発明の第２の実施形態について説明する。
【００６９】
図１１は、本発明の第２の実施形態の動作を説明するダイアル処理のサブルーチンである。この第２の実施形態は、上述した図７の表示と、図８（ｂ）のダイアル機能とが用いられる。
【００７０】
先ず、ステップＳ３１にて、現在設定されているモードデータが読込まれる。そして、ステップＳ３２にて、スイッチＳＷ１０の立下がりが発生したか否かが判断される。ここで、立下がりが発生していると判断された場合は、ステップＳ３３にて引続きスイッチＳＷ２０が“Ｈ”レベルかどうかが調べられる。
【００７１】
上記ステップＳ３３で、スイッチＳＷ２０が“Ｈ”レベルの場合は、ステップＳ３４に進んでダウン方向にスクロール処理が行われる。これに対して、“Ｌ”レベルの場合はステップＳ３５に進んでアップ方向にスクロール処理が行われる。その後、ステップＳ３６にて後述する選択処理が行われて、スクロールされた露出モードと、該モードに対応するシャッタ速度、絞り値及び補正値等の撮影データの所望の値の選択が行われ、図示されない所定のメモリに記憶される。
【００７２】
上記スクロール処理の後、或いは上記ステップＳ３２のスイッチＳＷ１０の立下がりが検出されなかった場合は、次にステップＳ３７にてスイッチＳＷ３０の立下がりが調べられる。ここで、立下がりが検出された場合は、ステップＳ３８に進んで最新のスクロール方向がダウン方向かアップ方向かが判断される。上記ステップＳ３８に於いて、アップ方向の場合はステップＳ４０に進んでアップ方向へスキップスクロールが行われる。一方、ダウン方向の場合は、ステップＳ３９に進んでダウン方向へスキップスクロールが行われる。
【００７３】
ここで、スキップスクロールとは、図７のスクロール表示部４５の実表示面に対して、３つの絵表示が一度に認識可能なスクロールのことである。表示部４４の中に所望とするモードがないときに、次の隣接した３つのモードを表示する動作が行われる。すなわち、ダイアル操作では前後のモードが選択され、押圧操作では３つ毎のモード選択が行われる。この機能により、モードの素早い検索が可能になる。
【００７４】
上記ステップＳ３９及びＳ４０の処理の後、ステップＳ４１にて最新の選択モードが設定されると同時に、該モードに対応した撮影データとモード内容を表すメモ表示とが設定される。つまり、ここでは、最後に選択された露出モードの機能を説明するメモ表示の内容と、この露出モードに対応した撮影データが表示可能に設定される。
【００７５】
以上の動作の後、サブルーチンは終了する。
【００７６】
（第３の実施形態）
次に、露出モードと撮影データとをスクロールする、本発明の第３の実施形態を説明する。
【００７７】
図１２は、本発明の第３の実施形態を示す表示部を表した図である。
【００７８】
表示窓４９に対して、図示矢印Ｆa の方向にダイアル操作によって露出モード５０がスクロールでき、選択可能となっている。この第３の実施形態では、小さい表示部で多くの情報が表示可能となる。それは、図示矢印Ｆb 方向にも表示スクロールが可能なため、ダイアル操作によって選択された露出モードに関連した撮影データの表示がスクロール動作で可能になる。
【００７９】
上記露出モードの選択と露出データに関連した撮影データの選択との選択許可は、図示矢印Ｇ方向で示される押圧操作の入力毎の切換によって行われる。これにより、例えば、表示窓４９に表示モード５１が表示されるようになる。
【００８０】
ここで、露出モードの表示は１個ずつで、絵表示、表示順、絵表示の説明が、表示窓４９上に一度に表示される。また、撮影データの表示は、スクロール動作に伴って絵表示以外の部分、つまり絵表示の説明部分に相当するスペースのみに撮影データが表示可能な分だけ表示される。
【００８１】
図１３は、上述した本発明の第３の実施形態のダイアル処理の動作を説明するサブルーチンである。
【００８２】
先ず、ステップＳ５１で、現在設定されているモードデータが読込まれる。ここで、設定データ順序は、後述するように、カメラの使用者の使用頻度によって選択順に優先度が付けられている。よって、よく使用するモード及び対応した撮影データ内容が優先されて表示面に表示される。
【００８３】
そして、次にステップＳ５２にて、スイッチＳＷ１０の立下がりが発生したか否かが判断される。ここで、立下がりが発生していると判断された場合は、引続きステップＳ５３にて、スイッチＳＷ２０が“Ｈ”レベルか否かが判断される。上記ステップＳ５３にて“Ｈ”レベルと判断された場合は、ステップＳ５４に進んでダウン方向にスクロール処理が行われる。一方、“Ｌ”レベルであると判断された場合は、ステップＳ５５に進んでアップ方向にスクロール処理が行われる。
【００８４】
その後、ステップＳ５６に於いて、“ＭＯＤＥ”フラグが“０”かどうかが調べられる。ここで、該フラグが“０”の場合は、ステップＳ５８に進んで露出モード選択が許可されてモード選択処理が行われる。一方、該フラグが“１”の場合は、ステップＳ５７に進んで選択された露出モードに対応した撮影データ選択処理が行われる。
【００８５】
そして、上記ステップＳ５７及びＳ５８のスクロール処理の後、或いはステップＳ５２のスイッチＳＷ１０の立下がりが検出されなかった場合には、ステップＳ５９に於いて、スイッチＳＷ３０の立下がりが調べられる。ここで、立下がりが検出された場合は、続いてステップＳ６０に於いて、“ＭＯＤＥ”フラグが“０”かどうかが調べられる。上記ステップＳ６０に於いて、該フラグが“０”の場合はステップＳ６１にて“１”に、また“０”以外のときはステップＳ６２にて“０”に変更される。
【００８６】
上記ステップＳ６１またはＳ６２の処理の後、ステップＳ６３に進んで最新の選択モードが設定され、同時に、該モードに対応した撮影データとモード内容を表す表示とが設定される。その後、ステップＳ６４にて、上述した動作で選択された露出モード、或いは選択内容に対して、頻度の優先順位を付ける判断処理が行われる。この処理は、例えば実際に露出が行われた場合の選択モードを過去６４回分記憶し、そのうちで使用頻度の高い順に優先順位を付ける等の方法が考えられる。
【００８７】
以上の処理の後、サブルーチン“ダイアル処理”が終了する。
【００８８】
（第４の実施形態）
次に、本発明の第４の実施形態を説明する。
【００８９】
図１４は、本発明の第４の実施形態を示すもので、上述した表示部内の露出情報の絵表示の例を示した図である。
【００９０】
この第４の実施形態では、露出情報の絵表示を使用者が選択可能にしたもので、使用者の好みに合った解り易い表示を使用者自身が選択して行うことが可能になっている。これは、図１４に示されるように、各露出モード毎に文字や複数の絵表示が予め用意されているか、或いはリモコンデータとして受信するかして、ＥＥＰＲＯＭ８内にデータとして保存されているものの中から、例えば上記ダイアル操作部材が用いられて、図示矢印Ｈ1 方向またはＨ2 方向に設定変更操作が行われるものである。
【００９１】
すなわち、リモコン送信機等の遠隔操作装置１２に於いて、オリジナルのキャラクタが予め作成され、これがデータ化されてカメラ本体に送信される。このリモコンデータは、ＥＥＰＲＯＭ８内に保存される。上記オリジナルのキャラクタは、絵・特殊記号・ハングル文字等の外国語が遠隔操作装置１２の図示されない表示部の表示により確認されながら、使用者のキー操作により作成されたものである。これらのキャラクタは、例えばビットマップデータに変換された後、カメラに送信される。
【００９２】
以上、本発明の実施形態について説明したが、本発明は上述した実施形態に限定されるものではなく、それぞれの実施形態の組み合わせ等、本発明の要旨を逸脱しない範囲で種々の変形実施が可能であるのは勿論である。
【００９３】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【００９４】
尚、本発明の上記実施態様によれば、以下の如き構成を得ることができる。
【００９５】
すなわち、
（１）  回動操作と押圧操作とが単一の操作部材で操作可能なカメラの撮影情報入力表示手段に於いて、
撮影情報を表示するための表示手段と、
この表示手段に表示する撮影情報の中から、所望の情報を上記操作部材により選択する選択手段と、
上記操作部材の回動操作に応じて上記表示手段での表示内容をスクロールする表示スクロール手段と、
を具備することを特徴とするカメラの撮影情報入力表示手段。
【００９６】
上記（１）の構成によれば、撮影情報に関する表示内容を表示スクロール手段によってスクロールさせながら表示するので、少ない表示スペースに多くの撮影情報を表示させることができる。
【００９７】
（２）  撮影情報を表示する表示手段と、
撮影状況に応じて露出制御等に関する撮影情報を予め記憶する撮影モード記憶手段と、
上記表示手段に表示された撮影情報から、所望の撮影モードを選択する選択手段と、
を具備することを特徴とするカメラの撮影情報入力表示手段。
【００９８】
上記（２）の構成によれば、予め記憶された撮影情報に基いて撮影モードを選択できるので、操作が簡単である。
【００９９】
（３）  回動操作と押圧操作とが単一の操作部材で操作可能なカメラの撮影情報入力表示手段に於いて、
撮影情報を表示するための表示手段と、
この表示手段に表示する撮影情報の中から、所望の情報を上記操作部材により選択する選択手段と、
この選択手段で選択された撮影情報に関する内容を説明する表示内容説明手段とを具備し、
上記操作部材の押圧操作に応じて上記表示内容説明手段を切換えることを特徴とするカメラの撮影情報入力表示手段。
【０１００】
上記（３）の構成によれば、選択手段で選択された撮影情報に関する内容を説明する表示内容説明手段を設けたので、初めて使用する人にも選択された撮影情報の機能が理解しやすい。
【０１０１】
（４）  回動操作と押圧操作が可能な撮影情報の選択手段と、
カメラの露出モードに関する主撮影情報と、この主撮影情報に関連した露出値や機能説明等の付帯情報とを表示可能な表示手段と、
上記選択手段の回動操作に応答して上記主撮影情報を選択して表示し、その後の押圧操作に応答して、選択された主撮影情報に関連した付帯情報を表示することを特徴とするカメラの撮影情報入力表示手段。
【０１０２】
（５）  上記（１）、（３）、（４）に記載のカメラの撮影情報入力表示手段に於いて、上記押圧操作に応じて選択内容を切換えることを特徴とするカメラの撮影情報入力表示手段。
【０１０３】
（６）  上記（１）、（３）、（４）に記載のカメラの撮影情報入力表示手段に於いて、上記押圧操作に応じてスキップスクロール表示することを特徴とするカメラの撮影情報入力表示手段。
【０１０４】
（７）  上記（１）、（３）、（４）に記載のカメラの撮影情報入力表示手段に於いて、上記押圧操作に応じて撮影情報の選択の禁止／許可を切換えることを特徴とするカメラの撮影情報入力表示手段。
【０１０５】
（８）  上記（６）に記載のカメラの撮影情報入力表示手段に於いて、上記スクロール方向は直前の回転方向であることを特徴とするカメラの撮影情報入力表示手段。
【０１０６】
（９）  上記（１）に記載のカメラの撮影情報入力表示手段に於いて、上記表示手段に表示されている撮影情報の現在の表示位置を表示する表示手段を更に具備することを特徴とするカメラの撮影情報入力表示手段。
【０１０７】
（１０）  上記（１）乃至（４）に記載のカメラの撮影情報入力表示手段に於いて、選択された頻度に応じて優先順位を決定する決定手段を更に具備することを特徴とするカメラの撮影情報入力表示手段。
【０１０８】
（１１）  上記（１）乃至（４）に記載のカメラの撮影情報入力表示手段に於いて、上記表示手段はスクロールして表示する表示部と、スクロールしないで表示する表示部とを有することを特徴とするカメラの撮影情報入力表示手段。
【０１０９】
（１２）  上記（１）、（３）、（４）に記載のカメラの撮影情報入力表示手段に於いて、上記押圧操作がなされた後は、その後の回動操作に応じて露出データをスクロールすることを特徴とするカメラの撮影情報入力表示手段。
【０１１０】
（１３）  上記（１）乃至（４）に記載のカメラの撮影情報入力表示手段に於いて、上記撮影データのスクロールは絵表示以外の表示内容に対して行うことを特徴とするカメラの撮影情報入力表示手段。
【０１１１】
（１４）  回動操作と押圧操作が可能な撮影情報の選択手段と、
主撮影情報と、この主撮影情報に関連した付帯情報とを表示することが可能な表示手段とを具備し、
上記選択手段の回動若しくは押圧操作に応答して上記主撮影情報を選択して表示し、その後の押圧若しくは回動操作に応答して、選択された主撮影情報に関連した付帯情報を表示することを特徴とするカメラの撮影情報入力表示装置。
【０１１２】
（１５）  上記（１４）に記載のカメラの撮影情報入力表示装置に於いて、上記主撮影情報はカメラの露出モードに関する情報であり、上記付帯情報は上記露出モードに於ける露出値若しくは上記露出モードの機能説明であることを特徴とする請求項１に記載のカメラの撮影情報入力表示装置。
【０１１３】
（１６）  上記（１４）に記載のカメラの撮影情報入力表示装置に於いて、上記主撮影情報は、絵表示を含むことを特徴とするカメラの撮影情報入力表示装置。
【図面の簡単な説明】
【０１１４】
【図１】本発明のカメラの撮影情報入力表示装置に係るカメラの電気系の構成を示すブロック図である。
【図２】図１のＳＷ入力装置７の操作ダイアルを構成する回路図である。
【図３】操作ダイアル２３を回動させた時の端子ＳＷ１／Ｏ、ＳＷ２／Ｏから出力される信号の状態を示したもので、（ａ）はＣ．Ｗ．方向、（ｂ）はＣ．Ｃ．Ｗ．方向に回転させた場合を示したタイムチャートである。
【図４】（ａ）は操作ダイアル上に形成されるスイッチＳＷ１、ＳＷ２の構成を示した図、（ｂ）は操作ダイアル２３とスイッチＳＷ３及び上記操作ダイアル２３の押圧力の伝達機構系を示した図である。
【図５】本発明のカメラの撮影情報入力表示装置が適用されたカメラの外観を示した上面図である。
【図６】本発明のカメラの撮影情報入力表示装置が適用された別のカメラの外観を示した背面図である。
【図７】操作ダイアル２３または３９の操作に応動して変化するＬＣＤパネル３６または表示部４０の表示状態の例を示した図である。
【図８】（ａ）は第１のダイアル機能を表した図、（ｂ）は第２のダイアル機能を表した図である。
【図９】カメラの露光処理の動作を説明するフローチャートである。
【図１０】露光処理動作のうちのダイアル処理の動作を説明するサブルーチンである。
【図１１】本発明の第２の実施形態の動作を説明するダイアル処理のサブルーチンである。
【図１２】本発明の第３の実施形態を示す表示部を表した図である。
【図１３】本発明の第３の実施形態のダイアル処理の動作を説明するサブルーチンである。
【図１４】本発明の第４の実施形態を示すもので、上述した表示部内の露出情報の絵表示の例を示した図である。
【符号の説明】
【０１１５】
１…メインＣＰＵ、２…ＬＣＤ、３…ＡＦＩＣ、４…データバック、５…ストロボ、６…ＩＳＯ入力装置、７…ＳＷ（スイッチ）入力装置、８…ＥＥＰＲＯＭ、９…受光回路、１０…測光回路、１１…モータドライバ、１２…遠隔操作装置、１３…ＬＤＭ、１４…ＺＭ、１５…ＷＳＭ、１６…ＡＶＭ、１７…フォーカス装置、１８…ズーム装置、１９…巻上げ装置、２０…シャッタ装置、２１…絞り装置、２３…操作ダイアル、２４、３０…回転軸、２５…導通パターン、２６、２８…支持部材、２７、２９…端面、３１…先端部、３２…硬質基板、ＣＯＭ…切片、ＳＷ１Ｉ、ＳＷ２Ｉ…導電切片。
【図１】
2007018519.tif 000006
【図２】
2007018519.tif 000007
【図３】
2007018519.tif 000008
【図４】
2007018519.tif 000009
【図５】
2007018519.tif 000010
【図６】
2007018519.tif 000011
【図７】
2007018519.tif 000012
【図８】
2007018519.tif 000013
【図９】
2007018519.tif 000014
【図１０】
2007018519.tif 000015
【図１１】
2007018519.tif 000016
【図１２】
2007018519.tif 000017
【図１３】
2007018519.tif 000018
【図１４】
2007018519.tif 000019